(57)【要約】【課題】複数の第１ケーブル心線２１の集合撚りピッチ及び複数の第２ケーブル心線２３の集合撚りピッチを変えることなく、ケーブル心線２１，２３，２５の線長差を極力少なくして差動信号伝送用多心ケーブル１９の伝送効率を向上させる。【解決手段】各ケーブル心線セットＳＴを、ケーブル全長方向に沿って、第１ケーブル心線２１が内層心線ユニット３９の一部を形成しかつ第２ケーブル心線２３が外層心線ユニット４１の一部を形成する内外層形成状態と、第１ケーブル心線２１が外層心線ユニット４１の一部を形成しかつ第２ケーブル心線２３が内層心線ユニット３９の一部を形成する外内層形成状態を同じ割合に保ちつつ、それぞれ交互に切り替わるように構成した。【選択図】　　　図１
2004014184.tif 000002
【特許請求の範囲】
【請求項１】
集合撚りされた複数の第１ケーブル心線と、
各第１ケーブル心線と重なり合うようにしてそれぞれケーブル心線セットを形成し、前記複数の第１ケーブル心線と共に集合撚りされた複数の第２ケーブル心線と、
ケーブル心線全体を囲むように設けられた外皮とを備えてあって、
前記複数の第１ケーブル心線の集合撚りピッチと前記複数の第２ケーブル心線の集合撚りピッチが同じになるように構成し、
前記複数の第１ケーブル心線及び前記複数の第２ケーブル心線によって、環状の内層心線ユニット、及び前記内層心線ユニットと同心状であって環状の外層心線ユニットが形成されるように構成し、
各ケーブル心線セットを、ケーブル全長方向に沿って、前記第１ケーブル心線が前記内層心線ユニットの一部を形成しかつ前記第２ケーブル心線が前記外層心線ユニットの一部を形成する内外層形成状態と、前記第１ケーブル心線が前記外層心線ユニットの一部を形成しかつ前記第２ケーブル心線が前記内層心線ユニットの一部を形成する外内層形成状態を同じ割合に保ちつつ、それぞれ交互に切り替わるように構成してなることを特徴とする多心ケーブル。
【請求項２】
前記複数の第１ケーブル心線の集合撚り方向と前記複数の第２ケーブル心線の集合撚り方向が同じになるように構成したことを特徴とする請求項１に記載の多心ケーブル。
【請求項３】
各第１ケーブル心線及び各第２ケーブル心線はそれぞれ対撚り線であって、前記第１ケーブル心線の対撚りピッチと前記第２ケーブル心線の対撚りピッチが同じであることを特徴とする請求項１又は請求項２に記載の多心ケーブル。
【請求項４】
隣接する前記ケーブル心線セットの間にそれぞれ配置され、前記複数の第１ケーブル心線及び前記複数の第２ケーブル心線と共に集合撚りされる複数の第３ケーブル心線を備え、
前記複数の第３ケーブル心線の集合撚りピッチが前記複数の第１ケーブル心線及び前記複数の第２ケーブル心線の集合撚りピッチが同じになるように構成し、前記複数の第３ケーブル心線によって、前記内層心線ユニットの層心径と前記外層心線ユニットの層心径の平均化した層心径を有してあって同心状かつ環状の中間層心線ユニットを形成するように構成してなることを特徴とする請求項１に記載の多心ケーブル。
【請求項５】
前記複数の第１ケーブル心線の集合撚り方向、前記第２ケーブル心線の集合撚り方向、及び前記第３ケーブル心線の集合撚り方向がそれぞれ同じになるように構成したことを特徴とする請求項４に記載の多心ケーブル。
【請求項６】
各第１ケーブル心線、各第２ケーブル心線、及び各第３ケーブル心線はそれぞれ対撚り線であって、前記第１ケーブル心線の対撚りピッチ、前記第２ケーブル心線の対撚りピッチ、及び前記第３ケーブル心線の対撚りピッチがそれぞれ同じであることを特徴とする請求項４又は請求項５に記載の多心ケーブル。
【請求項７】
前記複数の第１ケーブル心線及び前記複数の第２ケーブル心線が集合中心に配置された中心介在を備えてなることを特徴とする請求項１から請求項６のうちのいずれかの請求項に記載の多心ケーブル。
【請求項８】
前記ケーブル心線全体と前記外皮の間に設けられた遮蔽層を備えてなることを特徴とする請求項１から請求項７のうちのいずれかの請求項に記載の多心ケーブル。
【請求項９】
前記外皮はＰＶＣ材からなることを特徴とする請求項１から請求項８のうちのいずれかの請求項に記載の多心ケーブル。
【請求項１０】
前記外皮はエコ材からなることを特徴とする請求項１から請求項８のうちのいずれかの請求項に記載の多心ケーブル。
【請求項１１】
前記外皮はＮＨＦＲ材からなることを特徴とする請求項１から請求項８のうちのいずれかの請求項に記載の多心ケーブル。
【発明の詳細な説明】
【０００１】
【発明の属する技術分野】
本発明は、例えば差動信号伝送用多心ケーブル等の多心ケーブルに関する。
【０００２】
【従来の技術】
従来の技術について、図面を参照して説明する。
【０００３】
図２は、従来の差動信号伝送用多心ケーブルの断面図である。
【０００４】
高速でデータ送信を行うストレージェリアネットワーク（ＳＡＮ）やファイバチャネル（ＦＣ）等においては、図２に示すような差動信号伝送用多心ケーブル１が広く使用されている。
【０００５】
即ち、この差動信号伝送用多心ケーブル１は、集合撚りされた複数の第１ケーブル心線３と、複数の第１ケーブル心線３と共に集合撚りされた複数の第２ケーブル心線５と、ケーブル心線全体３，５を囲むように押出成形により設けられた外皮７と、ケーブル心線全体３，５と外皮７の間に設けられた遮蔽金属テープ９とを備えている。
【０００６】
ここで、各第１ケーブル心線１１はそれぞれ４本の絶縁電線１１を備えたカッド撚り線であって、各第２ケーブル心線５はそれぞれ４本の絶縁電線１３を備えたカッド撚り線である。複数の第１ケーブル心線３によって環状の内層心線ユニット１５が形成されると共に、複数の第２ケーブル心線５よって内層心線ユニット１５と同心状であって環状の外層心線ユニット１７が形成されるよう構成してある。
【０００７】
ところで、差動信号用多心ケーブル１の伝送効率を向上させるためには、第１ケーブル心線３と第２ケーブル心線５の線長差を極力少なくする必要がある。そのため、２つの心線ユニット（内層心線ユニット１５と外層心線ユニット１７）の層心径の差に応じて、複数の第１ケーブル心線３の集合撚りピッチと複数の第２ケーブル心線５の集合撚りピッチを変えて、複数の第１ケーブル心線３の撚り込み率と複数の第２ケーブル心線５の撚り込み率を同じなるように構成してある。
【０００８】
更に、２つの心線ユニット１５，１７の層形状の安定を図るため、複数の第１ケーブル心線３の撚り方向と複数の第２ケーブル心線５の撚り方向は反対になるように構成してある。即ち、複数の第１ケーブル心線３の撚り方向は左方向（又は右方向）であって、複数の第２ケーブル心線５の撚り方向は右方向（又は左方向）である。
【０００９】
【発明が解決しようとする課題】
しかし、２つの心線ユニット１５，１７の層心径の差に応じて、複数の第１ケーブル心線３の集合撚りピッチと複数の第２ケーブル心線５の集合撚りピッチを変えているため、複数の第１ケーブル心線３及び複数の第２ケーブル心線５の集合撚りさせる作業が煩雑化して、差動信号伝送用多心ケーブル１の製造時間が長くなるという問題がある。
【００１０】
更に、複数の第１ケーブル心線３の集合撚りピッチと複数の第２ケーブル心線３の集合撚りピッチが異なること、及び複数の第１ケーブル心線３の集合撚り方向と複数の第２ケーブル心線５の集合撚り方向が反対であるため、差動信号伝送用多心ケーブル１の可撓性が低下し、差動信号伝送用多心ケーブル１の配線等の作業能率が上がらないという問題がある。
【００１１】
【課題を解決するための手段】
請求項１に記載の発明にあっては、集合撚りされた複数の第１ケーブル心線と、
各第１ケーブル心線と重なり合うようにしてそれぞれケーブル心線セットを形成し、前記複数の第１ケーブル心線と共に集合撚りされた複数の第２ケーブル心線と、
ケーブル心線全体を囲むように設けられた外皮とを備えてあって、
前記複数の第１ケーブル心線の集合撚りピッチと前記複数の第２ケーブル心線の集合撚りピッチが同じになるように構成し、
前記複数の第１ケーブル心線及び前記複数の第２ケーブル心線によって、環状の内層心線ユニット、及び前記内層心線ユニットと同心状であって環状の外層心線ユニットが形成されるように構成し、
各ケーブル心線セットを、ケーブル全長方向に沿って、前記第１ケーブル心線が前記内層心線ユニットの一部を形成しかつ前記第２ケーブル心線が前記外層心線ユニットの一部を形成する内外層形成状態と、前記第１ケーブル心線が前記外層心線ユニットの一部を形成しかつ前記第２ケーブル心線が前記内層心線ユニットの一部を形成する外内層形成状態を同じ割合に保ちつつ、それぞれ交互に切り替わるように構成してなることを特徴とする。
【００１２】
請求項１に記載の発明特定事項によると、各ケーブル心線セットをケーブル全長方向に沿って前記内外層形成状態と前記外内層形成状態を同じ割合に保ちつつそれぞれ交互に切り替わるように構成してあるため、前記複数の第１ケーブル心線及び前記複数の第２ケーブル心線によって、それぞれ、前記内層心線ユニットの層心径と前記外層心線ユニットの層心径の平均化した層心径を有する同じ仮想層心線ユニットが形成されているとみなすことができる。そのため、前記複数の第１ケーブル心線の集合撚りピッチと前記複数の第２ケーブル心線の集合撚りピッチが同じであっても、換言すれば、前記複数の第１ケーブル心線の集合撚りピッチと前記複数の第２ケーブル心線の集合撚りピッチを変えることなく、前記複数の第１ケーブル心線の撚り込み率と前記複数の第２ケーブル心線の撚り込み率を同じにでき、前記第１ケーブル心線と前記第２ケーブル心線の線長差を極力少なくして、前記多心ケーブルの伝送効率を向上させることができる。
【００１３】
また、各第１ケーブル心線に前記第２ケーブル心線が重なり合うようにしてそれぞれ前記ケーブル心線セットを形成しているため、前記複数の第１ケーブル心線の集合撚り方向と前記複数の第２ケーブル心線の集合撚り方向を反対にしなくても、２つの心線ユニット（前記内層心線ユニットと前記外層心線ユニット）の層形状が安定する。
請求項２に記載の発明特定事項によると、請求項１に記載の発明特定事項の他に、前記複数の第１ケーブル心線の集合撚り方向と前記複数の第２ケーブル心線の集合撚り方向が同じになるように構成したことを特徴とする。
【００１４】
請求項２に記載の発明特定事項によると、請求項１に記載の発明特定事項の他に、前記複数の第１ケーブル心線の集合撚り方向と前記複数の第２ケーブル心線の集合撚り方向が同じになるように構成したため、前記多心ケーブルの可撓性がより高くなる。
【００１５】
請求項３に記載の発明にあっては、請求項１又は請求項２に記載の発明特定事項の他に、各第１ケーブル心線及び各第２ケーブル心線はそれぞれ対撚り線であって、前記第１ケーブル心線の対撚りピッチと前記第２ケーブル心線の対撚りピッチが同じであることを特徴とする。
【００１６】
ここで、対撚り線とはカッド撚り線を含む意である。
【００１７】
請求項３に記載の発明特定事項によると、請求項１又は請求項２に記載の発明特定事項による作用と同様の作用を奏する。
【００１８】
請求項４に記載の発明にあっては、請求項１に記載の発明特定事項の他に、隣接する前記ケーブル心線セットの間にそれぞれ配置され、前記複数の第１ケーブル心線及び前記複数の第２ケーブル心線と共に集合撚りされる複数の第３ケーブル心線を備え、
前記複数の第３ケーブル心線の集合撚りピッチが前記複数の第１ケーブル心線及び前記複数の第２ケーブル心線の集合撚りピッチが同じになるように構成し、前記複数の第３ケーブル心線によって、前記内層心線ユニットの層心径と前記外層心線ユニットの層心径の平均化した層心径を有してあって同心状かつ環状の中間層心線ユニットを形成するように構成してなることを特徴とする。
【００１９】
請求項４に記載の発明特定事項によると、請求項１に記載の発明特定事項の他に、前記複数の第３ケーブル心線によって前記仮想層心線ユニットと同じ層心径を有する前記中間層心線ユニットを形成することができるため、前記複数の第３ケーブル心線の集合撚りピッチが前記複数の第１ケーブル心線及び前記複数の第２ケーブル心線の集合撚りピッチが同じであっても、３種類のケーブル心線（前記第１ケーブル心線、前記第２ケーブル心線、前記第３ケーブル心線）の線長差を極力少なくして、前記多心ケーブルの伝送効率を向上させることができる。
【００２０】
請求項５に記載の発明にあっては、請求項４に記載の発明手特定事項の他に、前記複数の第１ケーブル心線の集合撚り方向、前記第２ケーブル心線の集合撚り方向、及び前記第３ケーブル心線の集合撚り方向がそれぞれ同じになるように構成したことを特徴とする。
【００２１】
請求項５に記載の発明特定事項によると、請求項４に記載の発明特定事項による作用の他に、前記複数の第１ケーブル心線の集合撚り方向、前記第２ケーブル心線の集合撚り方向、及び前記第３ケーブル心線の集合撚り方向がそれぞれ同じになるように構成したため、前記多心ケーブルの可撓性がより高くなる。
【００２２】
請求項６に記載の発明にあっては、請求項４又は請求項５に記載の発明特定事項の他に、各第１ケーブル心線、各第２ケーブル心線、及び各第３ケーブル心線はそれぞれ対撚り線であって、前記第１ケーブル心線の対撚りピッチ、前記第２ケーブル心線の対撚りピッチ、及び前記第３ケーブル心線の対撚りピッチがそれぞれ同じであることを特徴とする。
【００２３】
ここで、対撚り線とはカッド撚り線を含む意である。
【００２４】
請求項６に記載の発明特定事項によると、請求項４又は請求項５に記載の発明特定事項による作用と同様の作用を奏する。
【００２５】
請求項７に記載の発明にあっては、請求項１から請求項６のうちいずれかの請求項に記載の発明特定事項の他に、前記ケーブル心線全体のが集合中心に配置された中心介在を備えてなることを特徴とする。
【００２６】
請求項７に記載の発明特定事項によると、請求項１から請求項６のうちのいずれかの請求項に記載の発明特定事項の他に、前記中心介在によって２つの心線ユニット（前記内層心線ユニットと前記外層心線ユニット）の層形状がより安定する。
【００２７】
請求項８に記載の発明にあっては、請求項１から請求項７のうちのいずれかの請求項に記載の発明特定事項の他に、前記ケーブル心線全体と前記外皮の間に設けられた遮蔽層を備えてなることを特徴とする。
【００２８】
請求項８に記載の発明特定事項によると、請求項１から請求項７のうちいずれかの請求項に記載の発明特定事項による作用と同様の作用を奏する。
【００２９】
請求項９に記載の発明特定事項にあっては、請求項１から請求項８のうちいずれかの請求項に記載の発明特定事項の他に、前記外皮はＰＶＣ材からなることを特徴とする。
【００３０】
請求項９に記載の発明特定事項によると、請求項１から請求項８のうちいずれかの請求項に記載の発明特定事項による作用と同様の作用を奏する。
【００３１】
請求項１０に記載の発明特定事項にあっては、請求項１から請求項８のうちいずれかの請求項に記載の発明特定事項の他に、前記外皮はエコ材からなることを特徴とする。
【００３２】
請求項１０に記載の発明特定事項によると、請求項１から請求項８のうちいずれかの請求項に記載の発明特定事項による作用と同様の作用を奏する。
【００３３】
請求項１１に記載の発明特定事項にあっては、請求項１から請求項８のうちいずれかの請求項に記載の発明特定事項の他に、前記外皮はＮＨＦＲ材からなることを特徴とする。
【００３４】
請求項１１に記載の発明特定事項によると、請求項１から請求項８のうちいずれかの請求項に記載の発明特定事項による作用と同様の作用を奏する。
【００３５】
【発明の実施の形態】
以下、本発明の実施の形態について図面を参照して説明する。
【００３６】
図１は、本発明の実施の形態に係わる差動信号伝送用多心ケーブルの断面図である。
【００３７】
図１に示すように、本発明の実施の形態に係わる差動信号伝送用多心ケーブル１９は、集合撚りされた複数（本発明の実施の形態にあっては４本）の第１ケーブル心線２１と、集合撚りされた複数（本発明の実施の形態にあっては４本）の第２ケーブル心線２３と、集合撚りされた複数（本発明の実施の形態にあっては４本）の第３ケーブル心線２５と、ケーブル心線全体２１，２３，２５の集合中心に配置された中心介在２７と　ケーブル心線全体２１，２３，２５を囲むように押出成形により設けられた外皮２９と、ケーブル心線全体２，２３，２５と外皮２９の間に設けられた遮蔽金属テープ３１とを備えている。
【００３８】
第２ケーブル心線２３は、各第１ケーブル心線２１と重なり合うにようしてそれぞれケーブル心線セットＳＴを形成してあって、複数の第１ケーブル心線２３と共に集合撚りされるものである。なお、複数（本発明の実施の形態にあっては４つ）のケーブル心線セットＳＴは、差動信号伝送用多心ケーブル１９の任意の断面において等間隔に配置されている。また、複数の第３ケーブル心線２５は、隣接するケーブル心線セットＳＴ間にそれぞれ配置されてあって、複数の第１ケーブル心線２１及び複数の第２ケーブル心線２３と共に集合撚りされるものである。
【００３９】
複数の第１ケーブル心線２１の集合撚りピッチ、複数の第２ケーブル心線２３の集合撚りピッチ、及び複数の第３ケーブル心線２５の集合撚りピッチは同じになるように構成してある。また、複数の第１ケーブル心線２１の集合撚り方向、複数の第２ケーブル心線２３の集合撚り方向、及び複数の第３ケーブル心線２５の集合撚り方向は同じになるように構成してある。
【００４０】
各第１ケーブル心線２１は、それぞれ４本の絶縁電線３３を備えたカッド撚り線であり、各第２ケーブル心線２３はそれぞれ４本の絶縁電線３５を備えたカッド撚り線であって、各第３ケーブル心線２５はそれぞれ４本の絶縁電線３７を備えたカッド撚り線である。ここで、各第１ケーブル心線２１のカッド撚りピッチ、各第２ケーブル心線２３のカッド撚りピッチ、及び各第３ケーブル心線２５のカッド撚りピッチは同じになるように構成してある。また、各第１ケーブル心線２１のカッド撚り方向、各第２ケーブル心線２３のカッド撚り方向、及び各第３ケーブル心線２５のカッド撚り方向は同じになるように構成してある。
【００４１】
また、複数の第１ケーブル心線２１及び複数の第２ケーブル心線２３によって、環状の内層心線ユニット３９、及び内層心線ユニット３９と同心状であって環状の外層心線ユニット４１が形成されるように構成してある。更に、複数の第３ケーブル心線２５によって、内層心線ユニット３９の層心径ｄ１と外層心線ユニット４１の層心径ｄ２の平均化した層心径ｄ３を有してあって同心状かつ環状の中間層心線ユニット４３を形成するように構成してある。
【００４２】
そして、各ケーブル心線セットＳＴを、ケーブル全長方向（図１において紙面に向かって表裏方向）に沿って、内外層形成状態と外内層形成状態を同じ割合に保ちつつ、それぞれ交互に切り替わるように構成してある。
【００４３】
ここで、前記内外層形成状態とは、第１ケーブル心線２１が内層心線ユニット３９の一部を形成しかつ第２ケーブル心線２３が外層心線ユニット４１の一部を形成する状態のことをいい、図１において上側と右側に位置する２つのケーブル心線セットＳＴが前記内外層形成状態にある。前記外内層形成状態とは、第１ケーブル心線２１が外層心線ユニット４１の一部を形成しかつ第２ケーブル心線２３が内層心線ユニット３９の一部を形成する状態のことをいい、図１において下側と左側に位置する２つのケーブル心線セットＳＴが前記外内層形成状態にある。
【００４４】
なお、本発明の実施の形態にあっては、１集合撚りピッチ分に相当する部分の間で、各ケーブル心線セットＳＴがそれぞれ前記内外層形成状態と前記外内層形成状態に２回交互に切り替わって元の層形成状態に復帰しているが、４回以上の複数回切り替わっても差し支えない。
【００４５】
また、外皮２９は、ＰＶＣ材、エコ材、ＮＨＦＲ材のうちの適宜に選択した材料により構成される。
【００４６】
次に、本発明の実施の形態の作用について説明する。
【００４７】
各ケーブル心線セットＳＴをケーブル全長方向に沿って前記内外層形成状態と前記外内層形成状態を同じ割合に保ちつつそれぞれ交互に切り替わるように構成してあるため、複数の第１ケーブル心線２１及び複数の第２ケーブル心線２３によって、それぞれ、内層心線ユニット３９の層心径ｄ１と外層心線ユニット４１の層心径ｄ２の平均化した層心径ｄ３を有する同じ仮想層心線ユニットが形成されているとみなすことができる。また、複数の第３ケーブル心線２５によって前記仮想層心線ユニットと同じ層心径ｄ３を有する中間層心線ユニット４３を形成することができる。そのため、複数の第１ケーブル心線２１の集合撚りピッチ、複数の第２ケーブル心線２３の集合撚りピッチ、及び複数の第３ケーブル心線２５の集合撚りピッチが同じであっても、換言すれば、複数の第１ケーブル心線２１の集合撚りピッチ、複数の第２ケーブル心線２３の集合撚りピッチ、及び複数の第３ケーブル心線２５の集合撚りピッチを変えることなく、３種類のケーブル心線（第１ケーブル心線２１、第２ケーブル心線２３、第３ケーブル心線２５）の線長差を極力少なくして、差動信号伝送用多心ケーブル１の伝送効率を向上させることができる。
【００４８】
また、各第１ケーブル心線２１に第２ケーブル心線２３が重なり合うようにしてそれぞれケーブル心線セットＳＴを形成しているため、複数の第１ケーブル心線２１の集合撚り方向と複数の第２ケーブル心線２３の集合撚り方向を反対にしなくても、２つの心線ユニット（内層心線ユニット３９と外層心線ユニット４１）の層形状が安定する。
【００４９】
以上の如き、本発明の実施の形態によれば、複数の第１ケーブル心線２１の集合撚りピッチ、複数の第２ケーブル心線２３の集合撚りピッチ、及び複数の第３ケーブル心線２５の集合撚りピッチを変えることなく、３種類のケーブル心線２１，２３，２５の線長差を極力少なくして差動信号伝送用多心ケーブル１９の伝送効率を向上させるため、複数の第１ケーブル心線２１、複数の第２ケーブル心線２３、及び複数の第３ケーブル心線２５の集合撚り作業が簡略化して、差動信号伝送用多心ケーブル１９の製造時間が短くなる。
【００５０】
また、複数の第１ケーブル心線２１の集合撚りピッチ、複数の第２ケーブル心線２３の集合撚りピッチ、及び複数の第３ケーブル心線２５の集合撚りピッチは同じにすると共に、複数の第１ケーブル心線２１の集合撚り方向、複数の第２ケーブル心線２３の集合撚り方向、及び複数の第３ケーブル心線２５の集合撚り方向は同じにしているため、差動信号伝送用多心ケーブル１９の可撓性が高くなって、差動信号伝送用多心ケーブル１９の配線作業等の作業能率が向上する。
【００５１】
なお、本発明は、前述の発明の実施の形態の説明に限るものではなく、例えば、差動信号伝送用多心ケーブル１９以外の多心ケーブルに適用することができ、また、各ケーブル心線２１（２３，２５）をそれぞれ４本の絶縁電線３３（３５，３７）を備えたカッド撚り線からなるものとする代わりに、２本の絶縁電線を備えた対撚り線からなるもの、或いは光ファイバ心線を備えたものに変更することができる。
【００５２】
【発明の効果】
請求項１から請求項１１のうちのいずれかの請求項に記載の発明によれば、前記複数の第１ケーブル心線の集合撚りピッチと前記複数の第２ケーブル心線の集合撚りピッチを変えることなく、前記第１ケーブル心線と前記第２ケーブル心線の線長差を極力少なくして多心ケーブルの伝送効率を向上させるため、前記複数の第１ケーブル心線及び前記複数の第２ケーブル心線の集合撚り作業が簡略化して、前記多心ケーブルの製造時間が短くなる。
【００５３】
また、前記複数の第１ケーブル心線の集合撚りピッチと前記複数の第２ケーブル心線の集合撚りピッチが同じであるため、前記多心ケーブルの可撓性が高くなって、前記多心ケーブルの配線作業等の作業能率が向上する。特に、請求項２、請求項３、請求項５から請求項１１のうちいずれかの請求項に記載の発明によれば、前記多心ケーブルの可撓性がより高くなるため、前記多心ケーブルの配線作業等の作業能率はより向上する。
【図面の簡単な説明】
【図１】本発明の実施の形態に係わる差動信号伝送用多心ケーブルの断面図である。
【図２】従来の差動信号伝送用多心ケーブルの断面図である。
【符号の説明】
１９　　　　　差動信号伝送用多心ケーブル
２１　　　　　第１ケーブル心線
２３　　　　　第２ケーブル心線
２５　　　　　第３ケーブル心線
２７　　　　　中心介在
２９　　　　　外皮
３１　　　　　遮蔽金属テープ
【図１】
2004014184.tif 000003
【図２】
2004014184.tif 000004